(57)【要約】      （修正有）【課題】筋肉痛等を生じている患部が手の届き難い背中等でも、貼り薬の柔軟性を損なうことなく、且つ貼り薬の形状を維持させた状態で患部に確実に貼り付けることができ、患部に対して貼り薬の薬効を十分に伝えられる貼り薬を提供する。【解決手段】シート状の貼り薬１１と、前記貼り薬の一面を剥離可能に被覆する保護部材１３，１４と、前記貼り薬の他面の外周部のみを剥離可能に被覆する形状保持部材１２とを有し、複数枚の前記貼り薬、前記保護部材、及び前記形状保持部材が円周状又は多面体状に巻き形状保持貼り薬を構成する。【選択図】図２
0003150855.tif 000002
【実用新案登録請求の範囲】
【請求項１】
シート状の貼り薬と、
前記貼り薬の一面を剥離可能に被覆する保護部材と、
前記貼り薬の他面の外周部のみを剥離可能に被覆する形状保持部材とを有し、
複数枚の前記貼り薬、前記保護部材、及び前記形状保持部材が円周状又は多面体状に巻かれて形成されていること
を特徴とする形状保持貼り薬。
【請求項２】
前記貼り薬は、ミシン目状に切断された切れ目部を有し、
前記切れ目部に沿って隣接する前記貼り薬が切断されること
を特徴とする請求項１に記載の形状保持貼り薬。
【請求項３】
前記形状保持部材は、指で掴むための掴み部を備えていること
を特徴とする請求項１に記載の形状保持貼り薬。
【請求項４】
前記形状保持部材は、ポリエステルフィルムにより形成されていること
を特徴とする請求項１に記載の形状保持貼り薬。
【考案の詳細な説明】
【技術分野】
【０００１】
本考案は、手の届き難い背中等でも形状を維持させた状態で確実に貼り付けることができる貼り薬に関する。
【背景技術】
【０００２】
従来、貼り薬には、所定の硬度を有したシートを貼り薬の裏面に容易に剥離できるように接着しておき、貼り薬を身体に貼り付けた後にシートを剥離する構成がある（例えば、特許文献１参照。）。
【０００３】
また、貼り薬には、直接目視できない身体の裏面部分であっても、両手で操作することにより身体に貼り付けることができる補助器具に関する構成がある（例えば、特許文献２参照。）。
【先行技術文献】
【特許文献】
【０００４】
【特許文献１】特開２００３−１１３０７６号公報
【特許文献２】特許第４１８４３８２号公報
【考案の概要】
【考案が解決しようとする課題】
【０００５】
しかしながら、前述の構成では、貼り薬の形状を維持するために用いられるシートに起因して貼り薬の柔軟性が損なわれ、筋肉痛等を生じている患部に適切に貼り薬を貼り付けることができない問題があった。また、筋肉痛等を生じている患部に適切に貼り薬を貼り付けるために、専用の器具が必要となる問題点があった。
【０００６】
そこで、本考案は前述の技術的な課題に鑑み、筋肉痛等を生じている患部が手の届き難い背中等でも、貼り薬の柔軟性を損なうことなく、且つ貼り薬の形状を維持させた状態で患部に確実に貼り付けることができ、患部に対して貼り薬の薬効を十分に伝えられる貼り薬の提供を目的とする。
【課題を解決するための手段】
【０００７】
前述の課題を解決すべく、本考案に係る形状保持貼り薬は、シート状の貼り薬と、前記貼り薬の一面を剥離可能に被覆する保護部材と、前記貼り薬の他面の外周部のみを剥離可能に被覆する形状保持部材とを有し、複数枚の前記貼り薬、前記保護部材、及び前記形状保持部材が円周状又は多面体状に巻かれて形成されていることを特徴とする。
【考案の効果】
【０００８】
本考案に係る形状保持貼り薬によれば、筋肉痛等を生じている患部が手の届き難い背中等でも、貼り薬の柔軟性を損なうことなく、且つ貼り薬の形状を維持させた状態で患部に確実に貼り付けることができ、患部に対して貼り薬の薬効を十分に伝えられる。
【図面の簡単な説明】
【０００９】
【図１】本考案の第１の実施形態の形状保持貼り薬を示す構成図であり、（ａ）は裏面側から形状保持貼り薬を見た構成図、（ｂ）は側面側から形状保持貼り薬を見た構成図、（ｃ）は患部への貼り付け面側から形状保持貼り薬を見た構成図である。
【図２】本考案の第１の実施形態の形状保持貼り薬の使用法を示す模式図であり、（ａ）乃至（ｅ）は形状保持貼り薬を患部に貼り付ける動作を順に示す模式図である。
【図３】本考案の第１の実施形態の形状保持貼り薬を使用している状態を示す模式図であり、（ａ）は患部に貼り付けた貼り薬から形状保持部材を剥がす前の状態を示す模式図、（ｂ）は患部に貼り付けた貼り薬から形状保持部材を剥がした後の状態を示す模式図である。
【図４】本考案の第２の実施形態の形状保持貼り薬を示す構成図であり、（ａ）は裏面側から形状保持貼り薬を見た構成図、（ｂ）は側面側から形状保持貼り薬を見た構成図、（ｃ）は患部への貼り付け面側から形状保持貼り薬を見た構成図である。
【図５】本考案の第３の実施形態の円周状に巻いて形成した複数枚の形状保持貼り薬を示す斜視図である。
【図６】本考案の第３の実施形態の形状保持貼り薬をホルダに収納した状態を示す斜視図である。
【考案を実施するための形態】
【００１０】
以下、本考案の形状保持貼り薬１に係る好適な実施形態について図面を参照しながら説明する。なお、本考案の形状保持貼り薬１は、以下の記述に限定されるものではなく、本考案の要旨を逸脱しない範囲において、適宜変更可能である。
【００１１】
［第１の実施形態］
まず、本実施形態の形状保持貼り薬１の構成について、図１を参照しながら具体的に説明する。なお、図１は形状保持貼り薬１を示す構成図であり、さらに図１（ａ）は裏面側から形状保持貼り薬１を見た構成図、同様に図１（ｂ）は側面側から形状保持貼り薬１を見た構成図、同様に図１（ｃ）は患部への貼り付け面側から形状保持貼り薬１を見た構成図である。
【００１２】
本考案に係る形状保持貼り薬１は、筋肉痛等を生じている患部が手の届き難い背中等であることから、貼り薬１１を患部に対して貼り付けることが困難であっても、貼り薬１１を撓ませたり又は歪ませたりすることなく患部にしっかりと貼り付けることができる。この様な形状保持貼り薬１は、貼り薬１１、形状保持部材１２、上部保護部材１３、及び下部保護部材１４から構成される。以下、形状保持貼り薬１を構成する各構成部材について、図１（ａ）乃至（ｃ）を参照しながら説明する。
【００１３】
形状保持貼り薬１を構成する貼り薬１１は、筋肉痛等が生じている患部に貼り付けることにより鎮痛消炎効果をもたらす。この様な貼り薬１１は、サリチル酸メチル及びＬ−メントール等を含有したシートから成り、例えば略長方形状に形成されている。また、貼り薬１１の薬効を有する表面には、図１（ｂ）に示すように、後述する上部保護部材１３及び下部保護部材１４が剥離可能に被膜されている。また、貼り薬１１の裏面には、後述する形状保持部材１２が剥離可能に被覆されている。
【００１４】
また、形状保持貼り薬１を構成する形状保持部材１２は、本考案に係る重要な構成部材である。この様な形状保持部材１２は、例えば筋肉痛が生じている患部が手の届き難い背中の場合でも、貼り薬１１の形状を維持させた状態で確実に貼り付けるためのものである。具体的には、形状保持部材１２は、例えばポリエステルフィルムから成り、例えば略長方形状に形成されている。また、該略長方形状部には貼り薬１１の外形形状より小さい開口部１２Ｂが設けられている。したがって、形状保持貼り薬１を構成する形状保持部材１２は、貼り薬１１裏面の中央部１１Ａには被覆せず、貼り薬１１裏面の外周部１１Ｂのみを剥離可能に被覆している。このため、貼り薬１１の柔軟性を損なうことなく、貼り薬１１の形状を維持することが可能である。また、該略長方形状の各辺には掴み部１２Ａが設けられている。該掴み部１２Ａは、例えば略半円形状に形成され、指先で容易に掴むことができる。
【００１５】
また、形状保持貼り薬１を構成する上部保護部材１３は、貼り薬１１の表面を被覆することにより、貼り薬１１から薬効成分が揮発したり、又は貼り薬１１に浮遊微粒子等の不純物が付着すること等を防止する。この様な上部保護部材１３は、材質が紙等から成り、例えば略長方形状に形成され、貼り薬１１表面の約半分を剥離可能に被覆する。また、下部保護部材１４は、上部保護部材１３と同様の仕様及び形状から構成される。なお、下部保護部材１４は、上部保護部材１３が被覆していない貼り薬１１表面を剥離可能に被覆する。また、図１（ｂ）に示すように、下部保護部材１４の端部１４Ａは、上部保護部材１３の端部１３Ａを剥離可能に被覆する。同様に、上部保護部材１３の端部１３Ａ及び下部保護部材１４の端部１４Ｂは、形状保持部材１２の一部をそれぞれ剥離可能に被覆する。
【００１６】
次に、本実施形態の形状保持貼り薬１の使用について、図２を参照しながら具体的に説明する。なお、図２は形状保持貼り薬１の使用法を示す模式図であり、さらに図２（ａ）乃至（ｅ）は形状保持貼り薬１を患部３０に貼り付ける動作を順に示す模式図である。
【００１７】
形状保持貼り薬１の使用に関し、使用前の状態の形状保持貼り薬１を図２（ａ）に示す。ここで、上部保護部材１３の端部１３Ａ又は端部１３Ｂ等を指先で摘み、貼り薬１１から上部保護部材１３を剥がすと、図２（ｂ）に示すような状態になる。次に、下部保護部材１４の端部１４Ａ又は端部１４Ｂ等を指先で摘み、貼り薬１１から下部保護部材１４を剥がすと、図２（ｃ）に示すような状態になる。なお、この様な図２（ｃ）に示す状態では、貼り薬１１の裏面側に形状保持部材１２が装着されているため、貼り薬１１の形状は維持される。すなわち、貼り薬１１の形状が撓んだり又は歪んでしまうことが無い。次に、図２（ｄ）に示すように、形状保持部材１２が貼り薬１１に装着された状態で、貼り薬１１を例えば筋肉痛が生じている患部３０に貼り付ける。
【００１８】
また、形状保持貼り薬１の使用に関し、従来の貼り薬１１は、形状保持部材１２に相当する構成が無かったことから、貼り薬１１の形状が撓んだり又は歪んでしまい、例えば筋肉痛が生じている患部３０が手の届き難い背中の場合には、貼り薬１１を患部３０にしっかりと貼り付けることが困難であった。最後に、図２（ｅ）に示すように、形状保持部材１２に設けられた掴み部１２Ａ等を指先で摘み、形状保持部材１２を貼り薬１１から剥がす。したがって、例えば筋肉痛が生じている患部３０が手の届き難い背中の場合でも、貼り薬１１の形状を撓ませたり又は歪ませること無く、患部３０に対して貼り薬１１をしっかりと貼り付けることができる。
【００１９】
次に、本実施形態の形状保持貼り薬１を使用している状態について、図３を参照しながら具体的に説明する。なお、図３は形状保持貼り薬１を使用している状態を示す模式図であり、さらに図３（ａ）は患部３０に貼り付けた貼り薬１１から形状保持部材１２を剥がす前の状態を示す模式図、同様に図３（ｂ）は患部３０に貼り付けた貼り薬１１から形状保持部材１２を剥がした後の状態を示す模式図である。
【００２０】
形状保持貼り薬１は、貼り薬１１の裏面側に形状保持部材１２を装着した状態で患部３０に貼り付けられる。したがって、図３（ａ）に示すように、例えば筋肉痛が生じている患部３０が手の届き難い背中の場合でも、貼り薬１１の形状を維持させた状態で確実に貼り付けることができる。その後、図３（ｂ）に示すように、形状保持部材１２を貼り薬１１から剥がし、貼り薬１１の形状が維持された状態で使用することにより、貼り薬１１の薬効が患部３０に十分に伝わる。
【００２１】
以上、第１の実施形態に係る形状保持貼り薬１によれば、筋肉痛等を生じている患部３０が手の届き難い背中でも、貼り薬１１の形状を維持させた状態で確実に貼り付けることができる。具体的には、形状保持貼り薬１を構成する形状保持部材１２は、貼り薬１１裏面の中央部１１Ａには被覆せず、貼り薬１１裏面の外周部１１Ｂのみを剥離可能に被覆している。このため、貼り薬１１の柔軟性を損なうことなく、貼り薬１１の形状を維持することが可能である。したがって、貼り薬１１の形状が維持された状態で使用できるため、患部３０に対して貼り薬１１の薬効を十分に伝えることができる。
【００２２】
［第２の実施形態］
次に、本実施形態の形状保持貼り薬２の構成について、図４を参照しながら説明する。なお、図４は形状保持貼り薬２を示す構成図であり、さらに図４（ａ）は裏面側から形状保持貼り薬２を見た構成図、同様に図４（ｂ）は側面側から形状保持貼り薬２を見た構成図、同様に図４（ｃ）は患部３０への貼り付け面側から形状保持貼り薬２を見た構成図である。
【００２３】
ここで、第２の実施形態においては、第１の実施形態では設けた形状保持部材１２の掴み部１２Ａに相当する部材を用いないことに特徴を有し、それ以外の形状保持貼り薬２に係る構成は、第１の実施形態で述べた形状保持貼り薬１の構成と同様である。すなわち、形状保持貼り薬２を構成する貼り薬２１、形状保持部材２２、上部保護部材２３、及び下部保護部材２４は、形状保持貼り薬１を構成する貼り薬１１、形状保持部材１２、上部保護部材１３、及び下部保護部材１４とそれぞれ同様の仕様である。
【００２４】
以上、第２の実施形態に係る形状保持貼り薬２によれば、第１の実施形態に係る形状保持貼り薬１と同様に、筋肉痛等を生じている患部３０が手の届き難い背中でも、貼り薬１１の形状を維持させた状態で確実に貼り付けることができる。具体的には、形状保持貼り薬２を構成する形状保持部材２２は、貼り薬２１裏面の中央部２１Ａには被覆せず、貼り薬２１裏面の外周部２１Ｂのみを剥離可能に被覆している。このため、貼り薬２１の柔軟性を損なうことなく、貼り薬２１の形状を維持することが可能である。したがって、貼り薬１１の形状が維持された状態で使用できるため、患部３０に対して貼り薬１１の薬効を十分に伝えることができる。また、第２の実施形態に係る形状保持貼り薬２によれば、第１の実施形態では設けた形状保持部材１２の掴み部１２Ａに相当する部材を用いないことから、形状保持貼り薬２の製造コストを削減することができる。
【００２５】
［第３の実施形態］
次に、本実施形態の形状保持貼り薬４０の構成について、図５及び図６を参照しながら説明する。なお、図５は円周状に巻いて形成した複数枚の形状保持貼り薬４０を示す斜視図である。また、図６は形状保持貼り薬４０をホルダ５０に収納した状態を示す斜視図である。
【００２６】
ここで、第３の実施形態の形状保持貼り薬４０は、第２の実施形態に係る形状保持貼り薬２を円周状又は多面体状に巻いて形成していることに特徴を有し、それ以外の形状保持貼り薬４０は係る構成は、第２の実施形態で述べた形状保持貼り薬２の構成と同様である。このため、第３の実施形態においては、第２の実施形態と異なる構成を中心にして具体的に説明する。
【００２７】
形状保持貼り薬４０は、図５に示すように、例えば材質が硬質紙材から成り円筒形状部から形成された軸材４１に対して、連結された複数枚の形状保持貼り薬２を巻き付けることにより構成されている。ここで、形状保持貼り薬２の貼り薬２１の端面には、ミシン目状に切断された切れ目部２Ａが設けられ、該切れ目部２Ａに沿って、隣接する形状保持貼り薬２を１枚ずつ容易に切断することができる。なお、隣接する形状保持貼り薬２に係る形状保持部材２２、上部保護部材２３、及び下部保護部材２４は、互いに分離した状態で形成されている。また、形状保持貼り薬４０は、上述した軸材４１に対して、連結された複数枚の形状保持貼り薬１を巻き付けることにより構成しても良い。
【００２８】
この様な形状保持貼り薬４０は、図６に示すように、例えばホルダ５０に収納して使用することができる。該ホルダ５０は、支持台５１、切り歯５２、付勢蓋５３、付勢バネ５４から構成される。以下、ホルダ５０を構成する各部材について説明する。支持台５１は、例えばプラスチックから成り湾曲した板状部から形成され、形状保持貼り薬４０を下部から回転可能に支持する。また、切り歯５２は、例えばプラスチックから成り先端に複数の凹凸を有する板状部から形成され、形状保持貼り薬２の貼り薬２１の端面に形成された切れ目部２Ａに圧接させることにより、形状保持貼り薬２を１枚ずつ切断する。なお、切り歯５２は、支持台５１に接続されている。また、付勢蓋５３は、例えばプラスチックから成り湾曲した板状部から形成され、形状保持貼り薬４０を上部から回転可能に付勢する。また、付勢バネ５４は、付勢蓋５３及び支持台５１にそれぞれ係合され、支持台５１に収納した形状保持貼り薬４０を付勢蓋５３により付勢させて保持する。
【００２９】
以上、第３の実施形態に係る形状保持貼り薬４０によれば、第２の実施形態に係る形状保持貼り薬２と同様に、筋肉痛等を生じている患部３０が手の届き難い背中でも、貼り薬１１の形状を維持させた状態で確実に貼り付けることができる。さらに、第３の実施形態に係る形状保持貼り薬４０によれば、円周状又は多面体状に巻いて形成した形状保持貼り薬４０をホルダ５０に収納しておき、形状保持貼り薬２の貼り薬２１に形成された切れ目部２Ａに沿って、隣接する形状保持貼り薬２を１枚ずつ容易に切断することができる。したがって、病院、接骨院、スポーツジム等の大量に貼り薬を使用する施設に対して、形状保持貼り薬４０を導入すれば、貼り薬の使用を容易にすることができる。
【００３０】
なお、上述した第１乃至第３の実施形態においては、形状保持貼り薬を、一例として筋肉痛の症状を緩和する貼り薬として説明した。しかし、上述の構成に限定されることはなく、形状保持貼り薬を、例えば体を温めて血行を改善する保温材として構成しても良い。
【符号の説明】
【００３１】
１  形状保持貼り薬
２  形状保持貼り薬
２Ａ  切れ目部
１１  貼り薬
１１Ａ  中央部
１１Ｂ  外周部
１２  形状保持部材
１２Ａ  掴み部
１２Ｂ  開口部
１３  上部保護部材
１３Ａ，１３Ｂ  端部
１４  下部保護部材
１４Ａ，１４Ｂ  端部
２１  貼り薬
２１Ａ  中央部
２１Ｂ  外周部
２２  形状保持部材
２２Ｂ  開口部
２３  上部保護部材
２３Ａ，２３Ｂ  端部
２４  下部保護部材
２４Ａ，２４Ｂ  端部
３０  患部
４０  形状保持貼り薬
４１  軸材
５０  ホルダ
５１  支持台
５２  切り歯
５３  付勢蓋
５４  付勢バネ
【図１】
0003150855.tif 000003
【図２】
0003150855.tif 000004
【図３】
0003150855.tif 000005
【図４】
0003150855.tif 000006
【図５】
0003150855.tif 000007
【図６】
0003150855.tif 000008